(57)【要約】【課題】センター飾りや照明飾り等の遊技役物を、ネジとは異なる手段によって遊技盤に確実に装着すると共に、遊技役物の装着で最終的に形成される遊技球流路の寸法精度を確保し得るように構成した弾球遊技機を提供する。【解決手段】本パチンコ機の装着構造では、レール飾り４０を遊技盤３から取り外した状態でセンター飾り２３の嵌合部分を貫通穴部４８に嵌合し、該センター飾りのレール形成壁部３１ｄをレール飾り３０に合わせつつ該レール飾りを遊技盤に固定することでセンター飾りを遊技盤に装着するので、遊技盤側から貫通穴部側にブラケット状に張り出すネジ固定用の張り出し部等が不要になると共に、レール飾りの一部となるレール形成壁部が遊技役物の縁部に一体的に形成されることで、遊技役物の装着で最終的に形成される遊技球流路の寸法精度を容易に確保できる。【選択図】図１０
2010046289.tif 000002
【特許請求の範囲】
【請求項１】
遊技役物装着用の貫通穴部を有し、かつ該貫通穴部の近傍にレール飾りを有する遊技盤を備えた弾球遊技機において、
前記遊技役物における前記貫通穴部の内側面に近接する縁部に、前記レール飾りの一部となるレール形成壁部を一体的に形成し、
前記レール飾りを前記遊技盤から取り外した状態で前記遊技役物の嵌合部分を前記貫通穴部に嵌合し、該遊技役物の前記レール形成壁部を前記レール飾りに合わせつつ該レール飾りを前記遊技盤に固定することで前記遊技役物を前記遊技盤に装着してなる、
ことを特徴とする弾球遊技機。
【請求項２】
前記遊技役物の前記縁部に、該縁部の長手方向に延びて前記レール飾りに沿うような長尺状の突部を設けると共に、該長尺状の突部と対向する状態で該突部を全体的に係合し得る長尺状の係合部を前記レール飾りに設け、かつ前記レール形成壁部が前記突部に一体的に形成されてなる、
請求項１記載の弾球遊技機。
【請求項３】
前記貫通穴部は、前記遊技盤の略中央部に形成されてなり、
前記遊技役物は、前記貫通穴部に嵌合された状態で前記遊技盤に装着されるセンター飾りである、
請求項１又は２記載の弾球遊技機。
【請求項４】
前記貫通穴部は、前記遊技盤の端部に形成されてなり、
前記遊技役物は、前記遊技盤端部の前記貫通穴部に嵌合された状態で前記遊技盤に装着される照明飾りである、
請求項１ないし３のいずれか１項記載の弾球遊技機。
【発明の詳細な説明】
【技術分野】
【０００１】
本発明は、パチンコ機等の弾球遊技機に係り、詳しくは、センター飾りや照明飾り等の遊技役物を装着する遊技盤に形成されるルータ（貫通穴部）をできるだけ大きくし、遊技役物等の設計上の自由度を高めるようにした弾球遊技機に関する。
【背景技術】
【０００２】
一般に、弾球遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時（つまり、特別遊技状態の抽選に当選した時）には、アタッカーと呼ばれる大入賞口が開放し、入球に対応して多量の遊技球が払い出される遊技者に有利な特別遊技状態となる。
【０００４】
近年、上記のようなパチンコ機では、遊技盤の遊技領域中央部に配置されるセンター飾りが次第に大きくなる傾向にあり、該センター飾りが遊技領域内の１／２以上の面積を占めるようなものも提案されている（特許文献１参照）。該特許文献１に記載のパチンコ機にあっては、遊技盤の遊技領域の中央部分に、センター飾りを嵌め込むためのルータ（貫通穴部）が形成され、該貫通穴部に嵌め込まれて遊技盤に固定されたセンター飾りが、その右側部に比較的大型の演出可動役物を有している。該センター飾りは、その外周縁部が、周囲を取り囲むように配置されたガイドレールや、遊技盤に対して着脱可能に固定されるレール飾りに対面している。また遊技領域には、上記センター飾り以外にも、各種の照明飾り等が、遊技領域周縁部のガイドレール（レール飾り）に対向する位置に配設されている。
【０００５】
【特許文献１】特開２００７−２２２５１５号公報
【発明の開示】
【発明が解決しようとする課題】
【０００６】
上記特許文献１のようなパチンコ機では、大型のセンター飾りを嵌め込む貫通穴部が、遊技領域外周のレール飾りに対面するように形成されているが、センター飾りはその外周縁部を、同程度の距離をあけつつ均等にネジ止めされなければならず、レール飾りに対面する部分では、貫通穴部側にブラケット状の突部を張り出して設け、該突部にセンター飾り周囲をネジ止めしなければならない。そのため、突部を設ける分だけ貫通穴部の設計自由度（つまり、大サイズ化）が損なわれることになるが、特にセンター飾りの右側部には大型の可動演出装置等が配置されることが多く、該可動演出装置をできるだけ外方に張り出してセンター飾りを大きくしたい要請がある。従って、上記のような突部を形成することなくセンター飾り等の遊技役物を遊技盤に確実に装着できるような装着構造の現出が切望される。
【０００７】
そこで本発明は、センター飾りや照明飾り等の遊技役物を、ネジとは異なる手段によって遊技盤に確実に装着することができ、更に、遊技役物の装着で最終的に形成される遊技球流路の寸法精度を確保し得るように構成した弾球遊技機を提供することを目的とするものである。
【課題を解決するための手段】
【０００８】
請求項１に係る本発明は（例えば図１、及び図９ないし図１１参照）、遊技役物（２３，５４）装着用の貫通穴部（４８，５７）を有し、かつ該貫通穴部（４８，５７）の近傍にレール飾り（３０，５６）を有する遊技盤（３）を備えた弾球遊技機（１）において、
前記遊技役物（２３，５４）における前記貫通穴部（４８，５７）の内側面に近接する縁部（２３ｃ，５４ｄ）に、前記レール飾り（３０，５６）の一部となるレール形成壁部（３１ｄ，３１ｈ）を一体的に形成し、
前記レール飾り（３０，５６）を前記遊技盤（３）から取り外した状態で前記遊技役物（２３，５４）の嵌合部分を前記貫通穴部（４８，５７）に嵌合し、該遊技役物（２３，５４）の前記レール形成壁部（３１ｄ，３１ｈ）を前記レール飾り（３０，５６）に合わせつつ該レール飾り（３０，５６）を前記遊技盤（３）に固定することで前記遊技役物（２３，５４）を前記遊技盤（３）に装着してなる、
ことを特徴とする弾球遊技機（１）にある。
【０００９】
請求項２に係る本発明は（例えば図１、及び図９ないし図１１参照）、前記遊技役物（２３，５４）の前記縁部（２３ｃ，５４ｄ）に、該縁部（２３ｃ，５４ｄ）の長手方向に延びて前記レール飾り（３０）に沿うような長尺状の突部（３１，５４ｃ）を設けると共に、該長尺状の突部（３１，５４ｃ）と対向する状態で該突部（３１，５４ｃ）を全体的に係合し得る長尺状の係合部（４０ｄ，３０ｂ，５０ｅ）を前記レール飾り（３０，５６）に設け、かつ前記レール形成壁部（３１ｄ，３１ｈ）が前記突部（３１，５４ｃ）に一体的に形成されてなる、
請求項１記載の弾球遊技機（１）にある。
【００１０】
請求項３に係る本発明は（例えば図１、及び図９ないし図１１参照）、前記貫通穴部（例えば４８）は、前記遊技盤（３）の略中央部に形成されてなり、
前記遊技役物は、前記貫通穴部（４８）に嵌合された状態で前記遊技盤（３）に装着されるセンター飾り（２３）である、
請求項１又は２記載の弾球遊技機（１）にある。
【００１１】
請求項４に係る本発明は（例えば図１参照）、前記貫通穴部（例えば５７）は、前記遊技盤（３）の端部に形成されてなり、
前記遊技役物は、前記遊技盤端部の前記貫通穴部（５７）に嵌合された状態で前記遊技盤（３）に装着される照明飾り（５４）である、
請求項１ないし３のいずれか１項記載の弾球遊技機（１）にある。
【００１２】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１３】
請求項１に係る本発明によると、遊技役物の貫通穴部の内側面に近接する縁部に一体的に形成した、レール飾りの一部となるレール形成壁部をレール飾りに係合させて、貫通穴部に一部を嵌め込んだ状態の遊技役物をレール飾りで押さえ付けることにより、該遊技役物を遊技盤に装着することができるので、従来のようにネジを用いた固定が不要になることで貫通穴部側にブラケット状に張り出す部位が不要になり、その分、貫通穴部を従来に比して大きく形成して、可動役物等も余裕をもって配置することを可能にすることができる。更に、レール飾りの一部となるレール形成壁部が遊技役物の縁部に一体的に形成されるので、遊技役物の装着で最終的に形成される遊技球流路の寸法精度を容易に確保することができる。
【００１４】
請求項２に係る本発明によると、レール飾りの一部となるレール形成壁部が長尺状の突部に一体的に形成され、該突部を長尺状の係合部に係合させつつレール形成壁部をレール飾りに合わせた状態で該レール飾りを遊技盤に固定するので、遊技役物のレール飾り側への支持を、より一層安定させることができる。
【００１５】
請求項３に係る本発明によると、貫通穴部が遊技盤の略中央部に形成されてなり、遊技役物が該貫通穴部に嵌合された状態で遊技盤に装着されるセンター飾りであるので、遊技盤の略中央部にあって比較的大サイズのセンター飾りを極めて安定した状態で遊技盤側に装着することができる。
【００１６】
請求項４に係る本発明によると、貫通穴部が遊技盤の端部に形成されてなり、遊技役物が遊技盤端部の貫通穴部に嵌合された状態で遊技盤に装着される照明飾りであるので、比較的小サイズの照明飾りを遊技盤端部にて該遊技盤に対して安定して装着することができる。
【発明を実施するための最良の形態】
【００１７】
以下、本発明に係る弾球遊技機の実施の形態として、遊技場等に設置されるパチンコ機を図面に沿って説明する。図１は、本パチンコ機の外部構造を示す正面図である。なお、以下の各例では、本発明の弾球遊技機を所謂１種のパチンコ機として述べるが、本発明はこれに限らず、他の機能を有するパチンコ機にも適用可能であることは勿論である。
【００１８】
本パチンコ機１は、図１に示すように、発射ハンドル２の操作による発射装置（図示せず）の作動で遊技球（所謂パチンコ玉）を遊技盤３に向かって打ち出しつつ遊技を行うもので、所謂確率変動等の大当たり（特別遊技状態）が発生した状態でアタッカー５に入球した遊技球に対応する数の遊技球を払い出すように構成される。上記確率変動当たり（「確変当たり」ともいう）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１９】
本パチンコ機１は、開口を有する枠体状の筐体６と、該筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上方左右及び下方左右にはスピーカー（図示せず）を有する放音装置１２が配設されている。ガラス枠１０における右側部には、前扉７を筐体６側に施錠し解放する施錠装置１３が配設されている。なお、筐体６及び前扉７等から遊技機本体が構成される。
【００２０】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００２１】
また、皿ユニット１６の右部には、上記発射装置を操作して遊技球を遊技領域３Ａに向けて打ち出すための発射ハンドル２が配設されており、皿ユニット１６の左下方の台座部１５には灰皿２１及び遊技者参加ボタン（所謂チャンスボタン）２２が配設されている。遊技領域３Ａには、発射ハンドル２の操作で発射された遊技球Ｂａを該遊技領域３Ａに導くガイドレール１４が配設されている。ガイドレール１４の内周側には内レール１４ａが設けられ、センター飾り２３の右上方には内レール１４ｂが設けられ、センター飾り２３の左右幅方向の右側には内レール３０ａ（図２(a)参照）が設けられている。
【００２２】
遊技領域３Ａには、中央部に形成された開口部３７と、遊技領域３Ａに打ち出された遊技球Ｂａを導入し得るように左上部に形成されたワープ導入口２６と、該ワープ導入口２６から導入された遊技球Ｂａを転動させるステージＳと、を有するセンター飾り（遊技役物）２３が配置されている。また遊技領域３Ａには、該センター飾り２３の左右幅方向の左側及び右側に、第１流路３ａ及び第２流路３ｂがそれぞれに設けられている。上記第１流路３ａは、アタッカー５や始動チャッカー４２，４３が下流側に配置されている流路であり、上記第２流路３ｂは、アタッカー５や始動チャッカー４２，４３が下流側に配置されていない流路である。なお、便宜上図示はしないが、後述する照明飾り５４側においても、外周壁５４ｄと内レール１４ａとの間に、上記第２流路３ｂと同様の流路を設けることが可能である。
【００２３】
センター飾り２３は、開口部３７の下側に上記ステージＳを有しており、該ステージＳには、該ステージＳ上を転動する複数の遊技球のうちの何れかを落下させる落下孔４９が形成されている。センター飾り２３は、ワープ導入口２６から導入された遊技球を放出口１８からステージＳに放出するように案内するワープ通路（図示せず）を有しており、右下部に、遊技中の状態をＬＥＤの発光などで報知する状態表示部５５を有している。センター飾り２３における開口部３７の上方には、円盤状の宇宙船を模した可動演出装置２７が配置され、開口部３７の右側には、岩石状の足場２９上に起立する恐竜を模した可動演出装置２８が配置されている。上記ステージＳの下方には、落下孔４９に連通した状態で該落下孔４９に落下した遊技球を後述の始動チャッカー４２に向けて放出する球放出口２４が形成されている。
【００２４】
遊技盤３には、画像表示装置３４が、開口部３７から画面を露出させた状態で遊技盤裏側から装着されている。センター飾り２３の下部左側には、大当たり抽選（特別遊技状態の抽選）に寄与しない一般の入賞が行われる入賞口５３ａ，５３ｂが配設されており、センター飾り２３の下方には、始動チャッカー４２，４３、及びアタッカー５が順次配設されている。
【００２５】
また、始動チャッカー４２の直上方には、所謂命釘としての一対の障害釘３５が打ち込まれている。始動チャッカー４３の左方には、普通図柄抽選の契機となる入球が行われる普通図柄作動ゲート（スルーゲート）３２が配設されている。アタッカー５の下方には、発射ハンドル２の操作で遊技領域３Ａに打ち出されて、何れの入賞口にも入賞しなかった遊技球を遊技盤３の裏面に排出するためのアウト口３９が設けられている。
【００２６】
始動チャッカー４２，４３は、それぞれ大当たり抽選実行の契機となり得る入賞が行われるものであり、始動チャッカー４３は、始動チャッカー開閉ソレノイド（図示せず）によって開放位置と閉止位置とに開閉動作するように作動させられる。始動チャッカー４３は開閉式作動入賞部（所謂チューリップ）として形成されており、始動チャッカー４２は、開閉式作動入賞部ではない非作動な入賞口として形成されている。始動チャッカー４３は、直上方に位置する始動チャッカー４２の存在により、開放時にのみ入賞し得るように構成される。
【００２７】
アタッカー５は、始動チャッカー４２，４３への入賞に基づいて行われた大当たり抽選で当選した際に開閉して入賞が行われるものであり、アタッカー開閉ソレノイド（図示せず）によって開放位置と閉止位置とに開閉動作するように作動させられる。アタッカー５は、大当たり中、遊技球を入賞させる際、１回の開放で例えば９個の入球（即ち９カウント）を完了した時点で閉じ、この開閉動作を例えば１５回（即ち１５ラウンド）繰り返すように構成される。なお、これらカウント数及びラウンド数は、これらに限定されることはなく、設計に応じて適宜変更され得るものである。
【００２８】
遊技領域３Ａにおけるセンター飾り２３の下方には、ステージＳから零れた遊技球や、発射されてからステージＳに関与せずに落下してくる遊技球を適宜散らし、或いは入球に導くようにするための障害釘３５を含む多数の障害釘が打ち込まれている。また、ワープ導入口２６の周囲及びその上方側にも、障害釘２５をはじめとする多数の障害釘が打ち込まれている。
【００２９】
なお、上記「ワープ」とは、遊技領域３Ａに打ち出された遊技球を、該遊技領域３Ａの比較的下側に位置する道釘３６を経る等の経路を辿ることなく始動チャッカー４２側に導くことを意味する概念である。道釘３６は、遊技領域３Ａにおいて始動チャッカー４２，４３の左右に打ち込まれた障害釘の列であり、上方から転動落下してきた遊技球を始動チャッカー４２，４３方向に導く役割を担う。
【００３０】
ここで、上記センター飾り２３の装着構造について、図１ないし図４を参照して説明する。なお、図２はパチンコ機１から取り外した状態の遊技盤３の装着構造を示しており、（ａ）は該装着構造の正面図、（ｂ）は該装着構造の側面図、図３は図２における一部を拡大して示しており、（ａ）は図２（ａ）に対応する部分を拡大して示す正面図、（ｂ）は図２（ｂ）に対応する部分を拡大して示す正面図、（ｃ）は突部３１を拡大して示す斜視図である。また、図４は図１のセンター飾り２３の右側部付近を横断面して上方から見た状態で示す平面図である。
【００３１】
本装着構造にあっては、センター飾り２３や照明飾り５４等の遊技役物のレール飾り３０，５６に対面（対向）する部位を、これらレール飾り３０，５６側に滑り込ませて押し付ける等で係合し得るように構成することで、遊技盤３側の、貫通穴部４８に突出するネジ固定用の張り出し部６０（図２(a)の二点鎖線参照）等を可能な限り削減すると共に、従来のようにネジが見えないことで外観を向上させることができる。
【００３２】
すなわち、上記遊技盤３は、図２（ａ）に示すように、遊技領域３Ａの１／２以上の大サイズに形成された、センター飾り（遊技役物）２３の一部を嵌め込むセンター飾り装着用の、所謂ルータである貫通穴部４８を中央部に有している。センター飾り２３は、図１に示すように、貫通穴部４８に一部を嵌め込んだ状態で、左側部にて点在するようにネジ５８を遊技盤３側に螺入することで固定され、右側部一帯が本装着構造によりレール飾り３０を介して遊技盤３側に固定されている。
【００３３】
図２（ａ）に示すように、センター飾り２３の、貫通穴部４８（二点鎖線で示す）の内側面に近接する縁部には、半楕円形の爪状の突部３１が形成されており、該突部３１に係合する半楕円形状の切欠き（係合部）３０ｂがレール飾り３０に形成されている。センター飾り２３は、内側に配置された可動演出装置２７，２８等をセンター飾り外部と離隔する外周壁２３ｃと、該外周壁２３ｃから外方に向けて延びる平坦部２３ａと、外周壁２３ｃにおける該平坦部２３ａより図中下方において該平坦部２３ａより短く外方に延びる平坦部２３ｂとを有している。上記貫通穴部４８は、遊技盤３の中央部に大きく形成されてなり、センター飾り２３は、遊技盤３中央部の貫通穴部４８に、背面外周部分（嵌合部分）を嵌合される。レール飾り３０は、上側と下側に複数の固定孔を有しており、これら固定孔にネジ８が螺入されることで、遊技盤３側に堅固に固定される。なお、外周壁２３ｃ、及び照明飾り５４の外周壁５４ｄ（図１参照）は、センター飾り２３及び照明飾り５４それぞれの貫通穴部４８，５７の各内側面に近接する縁部を構成している。
【００３４】
突部３１が、センター飾り２３の縁部にて互いに距離をあけて複数箇所に爪状に形成されており、切欠き３０ｂが、レール飾り３０にて上記突部３１と対向する位置に複数箇所形成されている。つまり、センター飾り２３は、互いに所定間隔をあけて平坦部２３ｂから外方に突出するように形成された３つの突部３１を有しており、該レール飾り３０は、これら突部３１それぞれに対向するように形成された切欠き３０ｂを有している。本パチンコ機１では、レール飾り３０を遊技盤３から取り外した状態で、センター飾り２３の背面外周部分（図示せず）を貫通穴部４８に嵌め込み、突部３１に切欠き３０ｂを係合させつつ上記レール飾り３０を遊技盤３にネジ８で固定することでセンター飾り２３を遊技盤３に装着するように構成される。
【００３５】
また遊技盤３は、図１に示すように、比較的小サイズに形成された照明飾り（遊技役物）５４の一部を嵌め込む照明飾り用の貫通穴部５７を有している。比較的小サイズの照明飾り５４は、上記入賞口５３ａ，５３ｂを有するもので、センター飾り２３の左下方において、貫通穴部５７に不図示の背面外周部分（嵌合部分）を嵌め込んだ状態で、左下側部が後述の装着構造によりレール飾り５６の内レール１４ａに沿うように固定されている。このように、上記貫通穴部５７は遊技盤３の端部に小さく形成されてなり、上記照明飾り５４は、遊技盤３端部の当該貫通穴部５７に嵌合されるように構成される。
【００３６】
照明飾り５４における貫通穴部５７の内側面に近接する縁部には、互いに所定間隔をあけて２つの突部５４ｃが形成されており、レール飾り５６には、これら突部５４ｃをそれぞれ係合させる切欠き（係合部）５６ａが形成されている。本パチンコ機１では、レール飾り５６を遊技盤３から取り外した状態で、照明飾り５４の上記背面外周部分を貫通穴部５７に嵌合し、突部５４ｃに切欠き５６ａを係合させつつ上記レール飾り５６を遊技盤３にネジ５９で固定することで照明飾り５４を該遊技盤３に装着するように構成される。
【００３７】
図４に示すように、レール飾り３０は、遊技盤３の右側部において該遊技盤３の盤面から立ち上がるように固定される外壁部３０ｃと、該外壁部３０ｃから背面の盤面側に折り返すように形成された内壁部３０ｄとを有し、これら内壁部３０ｄと外壁部３０ｃの盤面近傍部分が所定幅で切り欠かれることで上記切欠き３０ｂが形成されている。
【００３８】
図３（ａ），（ｂ），（ｃ）に示すように、突部３１は、平坦部２３ｂから半楕円形状で平坦状に突出する平坦部３１ａと、該平坦部３１ａ上にて外方に向かって２本が平行に延びる山状部３１ｂ，３１ｂとを有している。これら山状部３１ｂ，３１ｂは、センター飾り２３と同じ材質の平坦部２３ｂと一体成形された突部３１と同じ材質で形成することもできるが、突部３１の平坦部３１ａとは別のゴム材等で構成して該平坦部３１ａに固定することもできる。ゴム材等で構成した場合、図４のように突部３１を切欠き３０ｂに挟み込んだ際に、撓ませて形状変形させることでレール飾り３０内方に、より効果的に安定して押さえ込むことができる。また、山状部３１ｂは、突部３１それぞれに２つずつ設けられているため、レール飾り３０の対応する切欠き３０ｂに対し、極めて安定した状態で係止される。更に、平坦部３１ａの全体にゴム板等を貼り付けて構成すれば、突部３１を切欠き３０ｂに係合させてレール飾り３０を固定する際に、第２流路３ｂの底面となる平坦部２３ｂを遊技盤３の盤面から浮き上がることなく確実に押さえ付けることができる。
【００３９】
なお、図４における符号２３ｆは、センター飾り２３の背面外周部分（嵌合部分）を貫通穴部４８に嵌め込んだ後に、遊技盤３の背面側から該遊技盤３裏面等にネジ止めすることで、貫通穴部４８に上記背面外周部分を嵌め込んで遊技盤３の前側から装着されたセンター飾り２３の前部と一体化される後枠体を示している。
【００４０】
ついで、本パチンコ機１の背面構造について図８を参照して説明する。同図は、本パチンコ機１の背面構造を示す背面図である。
【００４１】
すなわち、図８に示すように、パチンコ機１の前扉背面における上部左方には、賞球タンク４４が取り付けられており、該賞球タンク４４の下方に、副制御基板３８、主制御基板３３、及び払出し制御基板５１がこの順に配設されている。また、前扉背面における上部右方には、外部端子板７４が取り付けられており、この外部端子板７４の下方に、整列待機通路４５、賞球装置４６、賞球排出通路４７、電源ユニット４１、及び発射装置（図示せず）用の発射制御基板７５がこの順に配設されている。パチンコ機１の前扉背面における左側部には、施錠装置１３が配設されている。
【００４２】
主制御基板３３は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板３８は、主に画像表示、効果音等の演出、効果光等の表示制御を行うように構成されている。
【００４３】
以上の構成を備える本パチンコ機１の装着構造では、センター飾り２３及び照明飾り５４等の遊技役物の貫通穴部４８，５７の内側面に近接する外周壁（縁部）２３ｃに設けた突部３１，５４ｃを、レール飾り３０，５６に設けた切欠き３０ｂ，５６ａで係合して、貫通穴部４８，５７に一部を嵌め込んだ状態のセンター飾り２３及び照明飾り５４をレール飾り３０，５６で押さえ付けることにより、該センター飾り２３及び照明飾り５４を遊技盤３に堅固に装着することができる。ここで、センター飾り２３におけるレール飾り３０に対向しない部分は、図１に示すように、縁部にネジ５８が螺入されることにより遊技盤３に固定される。上記のように、センター飾り２３の右側や照明飾り５４の下側において、従来のようにネジを用いた固定が不要になるため、遊技盤３側から貫通穴部４８，５７側にブラケット状に張り出すネジ固定用の張り出し部６０（図２(a)参照）等が不要になり、その分、貫通穴部４８，５７を従来に比して大きく形成して、特にセンター飾り２３の右側部にて可動演出装置２８等を余裕をもって配置することが可能になる。
【００４４】
また、上記構成において、突部が縁部にて互いに距離をあけて複数箇所に爪状に形成された突部３１，５４ｃであり、係合部がレール飾り３０，５６にて突部３１，５４ｃとそれぞれ対向する位置に複数箇所形成された切欠き３０ｂ，５６ａであるので、従前タイプの遊技役物の一部に爪状の突部３１，５４ｃを形成し、該突部３１，５４ｃを係合する切欠き３０ｂ，５６ａをレール飾り３０，５６側に設けるだけで、遊技役物を遊技盤３側に確実に固定する構造が実現する。
【００４５】
更に、本装着構造では、貫通穴部４８が遊技盤３の中央部に大きく形成され、遊技盤中央部の該貫通穴部４８に遊技役物としてセンター飾り２３を嵌合・装着しているので、遊技盤中央部にあって大サイズのセンター飾り２３を極めて安定した状態で遊技盤３側に装着することができる。また、貫通穴部５７が遊技盤３の端部に小さく形成され、遊技盤端部の該貫通穴部５７に遊技役物として照明飾り５４を嵌合・装着しているので、比較的小サイズの照明飾り５４を遊技盤端部にて該遊技盤３に対して安定して装着することができる。
【００４６】
なお、以上においては、本発明に係る遊技役物としてセンター飾り２３や照明飾り５４を例に挙げて述べたが、本発明の遊技役物は、これら以外のものにも適用することができる。例えば、状態表示部５５は、本実施形態ではセンター飾り２３に一体的に設けられたが、該状態表示部５５をセンター飾り２３と別体に構成して配置するような場合、該状態表示部５５を、本発明に係る遊技役物として上記装着構造を適用することができる。
【００４７】
次に、上述した装着構造における突部３１の第１変形例について、図５を参照して説明する。図５は、第１変形例における装着構造を、図４と同様の状態で示す平面図である。なお、図５及び後述する図６に示す切欠き３０ｂは、図３に示すような右側に貫通する部分を有してはいない。
【００４８】
図５に示すように、第１変形例における突部３１は、図３に示したような山状部３１ｂ，３１ｂは有さずに、平坦部３１ａに相当する部分が切欠き３０ｂに係合した状態でレール飾り３０内方側に屈曲して係止される屈曲部３１ｃとして構成されている。このような構成を有する第１変形例の突部３１によっても、先の実施の形態における突部３１と同様の効果を奏することができる。該第１変形例においても上述と同様の効果を得ることができると共に、上述と同様に、センター飾り２３の外周壁２３ｃとレール飾り３０の内壁部３０ｄとの間に形成される第２流路３ｂ内を遊技球Ｂａが円滑に流下することになる。
【００４９】
続いて、前述の装着構造を一部変形した第２及び第３変形例について、図６（ａ），（ｂ）を参照して説明する。図６（ａ），（ｂ）はそれぞれ、第２及び第３変形例における装着構造を、図４と同様の状態で示す平面図である。
【００５０】
すなわち、第２変形例では、図６（ａ）に示すように、図３に示した平坦部２３ｂをレール飾り３０側にそのまま延ばして突部３１として構成し、該突部３１の先端３１ｇをレール飾り３０の切欠き３０ｂに前述と同様に係合させることで、センター飾り２３の右側部を遊技盤３に堅固に装着できるように構成している。
【００５１】
このような第２変形例では、平坦部２３ｂを延ばして突部３１として兼用できることから、構成をシンプルにすることができ、また、外周壁２３ｃから一体的に延びる当該突部３１の先端３１ｇをレール飾り３０側に、より堅固に装着できるという効果も奏することができる。
【００５２】
また、第３変形例では、前述した図１〜図６（ａ）の各例に比して貫通穴部（ルータ）４８をより一層拡大できるように構成している。すなわち、第３変形例にあっては、図６（ｂ）に示すように、レール飾り５０が、断面略矩形状に形成され、貫通穴部４８の内側の角部分にそれぞれ当接した状態で固定された固定面５０ｆ，５０ｇを有し、該固定面５０ｆから垂直に立ち上がる外壁部５０ａと、該外壁部５０ａからセンター飾り２３側に９０゜屈曲した前壁面５０ｂと、該前壁面５０ｂの左端部から遊技盤３側に外壁部５０ａと平行に延在する内壁部５０ｃと、固定面５０ｇから前壁面５０ｂと平行に延びる後壁面５０ｄとを有している。更に、内壁部５０ｃの後壁面５０ｄとの接合部分には、突部３１の先端３１ｇを挿入して係合する切欠き（係合部）５０ｅが形成されている。
【００５３】
このような第３変形例では、レール飾り５０が貫通穴部４８側に可能な限り張り出して切欠き５０ｅが遊技盤３から可及的に離間した状態で突部３１の先端３１ｇを係合支持できるので、従前であれば後壁面５０ｄの背面側に位置しているはずの遊技盤３が図６（ｂ）における右方に後退しており、従って、貫通穴部４８が、上述した各例に比してより一層広く形成されることになり、センター飾り２３及びその右側部に位置する可動演出装置２８等の配置構造に一層の設計上の自由度が増すことになる。
【００５４】
なお、以上の第１〜第３変形例における装着構造を照明飾り５４に対しても同様に適用できることは勿論である。
【００５５】
続いて、第４変形例について、図７を参照して説明する。図７は、第４変形例における装着構造を、図４と同様の状態で示す平面図である。
【００５６】
すなわち、第４変形例では、レール飾り３０側に係止されるべき突部３１がセンター飾り２３の平坦部２３ｂに点在するように形成されるのではなく、当該平坦部２３ｂが突部３１を含む形で長尺状に外周壁２３ｃからレール飾り３０側に突出する突部２３ｇとして構成されている。そして、前述したレール飾り３０側の切欠き３０ｂは、当該第４変形例では、長尺状の突部２３ｇを全体的に係合できるように、長尺状の係合溝（係合部）３０ｅとして形成されている。
【００５７】
上記のような第４変形例では、突部２３ｇが、レール飾り３０に沿うように外周壁（縁部）２３ｃの長手方向に長尺に形成され、係合溝３０ｅが、長尺の突部２３ｇに対向した状態で該突部２３ｇを全体的に係合し得るように長尺に形成されるので、図１〜図４で説明した装着構造による効果と同様の効果を得ることができると共に、長尺の突部２３ｇを長尺の係合溝３０ｅで係合することで、センター飾り２３（或いは照明飾り５４）等の遊技役物を遊技盤３側に、より堅固に固定できるという効果も奏することができる。
【００５８】
なお、このように突部３１及び切欠き３０ｂを、長尺状の突部２３ｇ及び係合溝３０ｅとする第４変形例の装着構造は、照明飾り５４における突部５４ｃ及び切欠き５６ａに対しても同様に適用できると共に、上述した図１〜図６で説明した各例、及び後述する第５〜第７変形例にも同様に適用できることは勿論である。
【００５９】
ついで、図９及び図１０を参照して、レール形成壁部を遊技役物側に一体的に設けた実施の形態について説明する。図９は本実施の形態における装着構造を図４と同様の状態で示す平面図、図１０は図９における装着構造の部分を拡大して示す平面図である。なお、図９及び図１０に示す装着構造を、図１に示した照明飾り５４側の装着構造にも同様に適用し得る。
【００６０】
本パチンコ機１の装着構造にあっては、センター飾り２３及び照明飾り５４等の遊技役物における貫通穴部４８，５７の内側面に近接する外周壁（縁部）２３ｃ，５４ｄに、該外周壁２３ｃ，５４ｄの長手方向に延びてレール飾り３０，５６に沿うような長尺状の突部３１，５４ｃを設けると共に、該長尺状の突部３１，５４ｃと対向する状態で該突部３１，５４ｃを全体的に係合し得る長尺状の係合部である係合面４０ｄ（及び後述の切欠き３０ｂ，５０ｅ）をレール飾り３０，５６に設け、かつレール飾り３０，５６の一部となるレール形成壁部３１ｄ（及び後述の３１ｈ）を突部３１，５４ｃに一体的に形成している。
【００６１】
すなわち、レール飾り４０は、図９及び図１０に示すように、遊技盤３の右側部において該遊技盤３の盤面から立ち上がるように固定される外壁部４０ａと、該外壁部４０ａからセンター飾り２３側に９０゜屈曲した前壁面４０ｂと、該前壁面４０ｂの左端部から外壁部４０ａ側に若干の距離だけ一旦戻った位置から遊技盤３側に該外壁部４０ａに平行に延在する内壁部４０ｃと、遊技盤３の盤面に近接する位置で外壁部４０ａ側に９０゜屈曲した係合面（係合部）４０ｄとを有している。該係合面４０ｄは、突部３１の先端３１ｅの厚さよりも若干小さい隙間ｓをあける距離だけ遊技盤３の盤面から離れている。図７に示したレール飾り３０と同様に長尺状のレール飾り４０は、全体が若干の弾力性を有する合成樹脂材から成るため、内壁部４０ｃの端部に接合する係合面４０ｄが該内壁部４０ｃとともに弾性を持つことにより、レール飾り４０が遊技盤３に固定される際に、隙間ｓより若干厚い上記先端３１ｅが係合面４０ｄによって極めて効果的に押さえ付けられる。これらの構成は、照明飾り５４側にも同様に適用し得る。
【００６２】
上記センター飾り２３は、外周壁２３ｃとで第２流路３ｂを構成するレール形成壁部３１ｄが該外周壁２３ｃと平行に前方に向けて突出している。突部３１は、レール形成壁部３１ｄの前端を凹部４０ｅに当接させ、かつ先端３１ｅを隙間ｓに係合させた状態で、レール飾り４０側に堅固に取り付けられる。突部３１及び該突部３１に設けられたレール形成壁部３１ｄ及び先端３１ｅ等はいずれも、上記レール飾り４０と同様に長尺状に構成される。これらの構成も、照明飾り５４側において同様に適用し得る。
【００６３】
従って、上記装着構造によると、センター飾り２３及び照明飾り５４等の遊技役物の貫通穴部４８，５７の内側面に近接する外周壁（縁部）２３ｃ，５４ｄに一体的に形成した、レール飾り４０，５６の一部となるレール形成壁部３１ｄ（レール飾り５６側は不図示）をレール飾りに係合させて、貫通穴部４８，５７に一部を嵌め込んだ状態の上記遊技役物をレール飾り４０，５６で押さえ付けることで、該遊技役物を遊技盤３に装着することができる。このため、従来のようにネジを用いた固定が不要になることで貫通穴部４８，５７側にブラケット状に張り出す部位が不要になり、その分、貫通穴部４８，５７を従来に比して大きく形成して、可動演出装置２８等も余裕をもって配置することができる。
【００６４】
更に、レール飾り４０，５６の一部となるレール形成壁部３１ｄ（レール飾り５６側は不図示）が遊技役物の外周壁２３ｃ，５４ｄに一体的に形成されることで、遊技役物の装着で最終的に形成される第２流路（遊技球流路）３ｂの寸法精度を容易に確保することができる。そして、レール飾り４０，５６の一部となるレール形成壁部３１ｄ（レール飾り５６側は不図示）が長尺状の突部３１，５４ｃに一体的に形成され、該突部３１，５４ｃを長尺状の係合面４０ｄ（レール飾り５６側は不図示）に係合させつつレール形成壁部３１ｄ（レール飾り５６側は不図示）をレール飾り４０，５６に合わせた状態で該レール飾り４０，５６を遊技盤３に固定することで、遊技役物のレール飾り側４０，５６への支持を、より一層安定させることができる。なお、照明飾り５４側においても、外周壁５４ｄと内レール１４ａとの間に第２流路３ｂと同様の流路を設けることが可能であるが、便宜上図示はしていない。
【００６５】
つまり、本装着構造によると、センター飾り２３及び照明飾り５４等の遊技役物の貫通穴部４８，５７の内側面にそれぞれ近接する外周壁（縁部）２３ｃ，５４ｄに長尺状に設けた突部３１，５４ｃを、レール飾り４０，５６に長尺状に設けた係合面４０ｄ及び切欠き５６ａでそれぞれ係合し、貫通穴部４８，５７に一部を嵌め込んだ状態のセンター飾り２３及び照明飾り５４をレール飾り４０，５６で押さえ付けることで、該センター飾り２３及び照明飾り５４を遊技盤３に堅固に装着することができる。センター飾り２３におけるレール飾り４０に対向しない部分は、前述と同様、縁部にネジ５８が螺入されることで遊技盤３に固定される。従って、センター飾り２３の右側や照明飾り５４の下側にて、遊技盤３側から貫通穴部４８，５７側にブラケット状に張り出すネジ固定用の張り出し部６０（図２(a)参照）等が不要になり、その分、貫通穴部４８，５７を従来に比して大きく形成して、特にセンター飾り２３の右側部にて可動演出装置２８等を余裕をもって配置することが可能になる。
【００６６】
更に、レール飾り４０（５６）の一部となるレール形成壁部３１ｄ（レール飾り５６側は不図示）を突部３１（５４）に一体的に形成し、該突部３１（５４）を係合面（係合部）４０ｄ（レール飾り５６側は不図示）に係合させつつレール形成壁部３１ｄ（レール飾り５６側は不図示）をレール飾り４０（５６）に合わせた状態で該レール飾り４０（５６）を遊技盤３に固定する。このため、上述のように、遊技役物のレール飾り４０（５６）側への支持をより一層安定させ、レール形成壁部３１ｄが遊技役物側に一体的に形成されることで、第２流路３ｂの寸法精度を容易に確保できる。
【００６７】
次に、図９及び図１０に示した構成を一部変形した第５及び第６変形例について、図１１（ａ），（ｂ）を参照して説明する。なお、図１１（ａ），（ｂ）はそれぞれ、第５及び第６変形例における装着構造を、図４と同様の状態で示す平面図である。
【００６８】
すなわち、第５変形例では、図１１（ａ）に示すように、図１０のレール飾り４０に代えて、図６（ａ）に示したタイプのレール飾り３０を採用し、更に、図１０に示した突部３１の先端３１ｅを短くして先端３１ｇとすると共に、図１０に示したレール形成壁部３１ｄを延ばしてレール飾り３０の内壁部３０ｄと同じ長さのレール形成壁部３１ｈとし、突部３１の先端３１ｇ（３１ｆ）をレール飾り３０の切欠き３０ｂに係合させることで、センター飾り２３の右側部を遊技盤３に装着するように構成している。
【００６９】
このような第５変形例では、図９及び図１０で説明した効果と略々同様の効果を得ることができると共に、図６（ａ）で説明した構造のシンプルなレール飾り３０を使用することができ、全体的に構造を簡素化することができる。
【００７０】
また、第６変形例では、図１１（ｂ）に示すように、レール飾り５０が、図６（ｂ）と同様に、断面略矩形状に形成され、貫通穴部４８の内側の角部分にそれぞれ当接した状態で固定された固定面５０ｆ，５０ｇを有し、該固定面５０ｆから垂直に立ち上がる外壁部５０ａと、該外壁部５０ａからセンター飾り２３側に９０゜屈曲した前壁面５０ｂと、該前壁面５０ｂの左端部から遊技盤３側に外壁部５０ａと平行に延在する内壁部５０ｃと、固定面５０ｇから前壁面５０ｂと平行に延びる後壁面５０ｄとを有している。更に、内壁部５０ｃの後壁面５０ｄとの接合部分には、突部３１の先端３１ｇを挿入して係合する切欠き５０ｅが形成されている。
【００７１】
このような第６変形例では、レール飾り５０が貫通穴部４８側に可能な限り張り出して切欠き５０ｅが遊技盤３から可及的に離間した状態で突部３１の先端３１ｇを係合支持できるので、従前であれば後壁面５０ｄの背面側に位置しているはずの遊技盤３が図１１（ｂ）における右方に後退しており、従って、貫通穴部４８が、他の例に比してより一層広く形成されることになり、センター飾り２３及びその右側部に位置する可動演出装置２８等の配置構造に一層の設計上の自由度が増すことになる。
【００７２】
なお、これら第５及び第６変形例における装着構造を照明飾り５４に対しても同様に適用できることは勿論である。
【００７３】
以上、本発明をその好適な実施形態及び変形例に基づいて説明したが、本発明の弾球遊技機は、上記実施形態及び変形例の構成にのみ限定されるものではなく、上記実施形態及び変形例の構成から種々の修正及び変更を施した弾球遊技機も、本発明の範囲に含まれる。
【図面の簡単な説明】
【００７４】
【図１】本発明を適用したパチンコ機の外部構造を示す正面図である。
【図２】本パチンコ機から取り外した状態の遊技盤の装着構造を示しており、（ａ）は該装着構造の正面図、（ｂ）は該装着構造の側面図である。
【図３】図２における一部を拡大して示しており、（ａ）は図２（ａ）に対応する部分を拡大して示す正面図、（ｂ）は図２（ｂ）に対応する部分を拡大して示す正面図、（ｃ）は突部３１を拡大して示す斜視図である。
【図４】図１のセンター飾りの右側部付近を横断面して上方から見た状態で示す平面図である。
【図５】第１変形例における装着構造を、図４と同様の状態で示す平面図である。
【図６】（ａ），（ｂ）はそれぞれ、第２及び第３変形例における装着構造を、図４と同様の状態で示す平面図である。
【図７】第４変形例における装着構造を、図４と同様の状態で示す平面図である。
【図８】本発明を適用したパチンコ機の背面構造を示す背面図である。
【図９】本発明に係る実施形態の装着構造を図４と同様の状態で示す平面図。
【図１０】図９における装着構造の部分を拡大して示す平面図である。
【図１１】（ａ），（ｂ）はそれぞれ、第５及び第６変形例における装着構造を、図４と同様の状態で示す平面図である。
【符号の説明】
【００７５】
１    弾球遊技機（パチンコ機）
３    遊技盤
２３，５４    遊技役物（センター飾り、照明飾り）
２３ｃ，５４ｄ    縁部（外周壁）
３１，５４ｃ    突部
３０，５６    レール飾り
３０ｂ，４０ｄ，５０ｅ    係合部（切欠き、係合面、切欠き）
４８，５７    貫通穴部
３１ｄ，３１ｈ    レール形成壁部
【図１】
2010046289.tif 000003
【図２】
2010046289.tif 000004
【図３】
2010046289.tif 000005
【図４】
2010046289.tif 000006
【図５】
2010046289.tif 000007
【図６】
2010046289.tif 000008
【図７】
2010046289.tif 000009
【図８】
2010046289.tif 000010
【図９】
2010046289.tif 000011
【図１０】
2010046289.tif 000012
【図１１】
2010046289.tif 000013